(57)【要約】【課題】数回カップ２０を乳房５１に押しつけるだけの簡単な操作で陥没・扁平乳頭５０の矯正が可能な、使い勝手の良い陥没・扁平乳頭矯正具１０を提供すること。【解決手段】カップ２０と、カップ２０の口を覆蓋するパッド４０から成り、パッド４０の略中心部に乳頭用貫通穴４２を形成した陥没・扁平乳頭矯正具１０であって、カップ２０にその内外を連通する通孔２３を形成するとともに、カップ２０の内側から外側への空気の流れを許容し、外側から内側への空気の流れを阻止するように通孔２３を開閉するダイアフラム式逆止弁３０を設ける。陥没・扁平乳頭はパッド４０の押圧による押し出し効果とカップ２０内の負圧による吸引効果によって押し出すことができる。【選択図】図３
2006246934.tif 000002
【特許請求の範囲】
【請求項１】
カップと、カップの口を覆蓋するパッドから成り、パッドの略中心部に乳頭用貫通穴を形成した陥没・扁平乳頭矯正具であって、前記カップにその内外を連通する通孔を形成するとともに、カップの内側から外側への空気の流れを許容し、外側から内側への空気の流れを阻止するように前記通孔を開閉する逆止弁を設けたことを特徴とする陥没・扁平乳頭矯正具。
【請求項２】
前記逆止弁をダイアフラム弁で構成したことを特徴とする請求項１に記載の陥没・扁平乳頭矯正具。
【発明の詳細な説明】
【技術分野】
【０００１】
本発明は、陥没・扁平乳頭矯正具に関する。
【背景技術】
【０００２】
陥没・扁平乳頭矯正具の一形式として、実公昭４０−１２６７号公報にはカップと、カップの口を覆蓋するパッドから成り、パッドの略中心部に乳頭用貫通穴を形成した陥没・扁平乳頭矯正具が開示されている。
【特許文献１】実公昭４０−１２６７公報
【発明の開示】
【発明が解決しようとする課題】
【０００３】
上記した従来の陥没・扁平乳頭矯正具を用いて陥没・扁平した乳頭を矯正するには、乳頭用貫通穴が乳頭に合致するようにパッドを乳房に被せて密着し、カップを手で押してパッドを乳房に押圧し、乳頭貫通穴の周縁部で乳輪部分を圧迫する。こうすることにより、乳頭が押し出されて貫通穴からカップ内に突出する。
しかし、かかる構造の矯正具では、深く陥没した乳頭を矯正するには何回も繰り返しカップを乳房に押しつけなければならず、甚だ使い勝手が悪い。
本発明はかかる問題点に鑑み、数回カップを乳房に押しつけるだけの簡単な操作で陥没・扁平乳頭の矯正が可能な、使い勝手の良い陥没・扁平乳頭矯正具を提供することを目的とする。
【課題を解決するための手段】
【０００４】
上記目的を達成するため本発明は、カップと、カップの口を覆蓋するパッドから成り、パッドの略中心部に乳頭用貫通穴を形成した陥没・扁平乳頭矯正具であって、前記カップにその内外を連通する通孔を形成するとともに、カップの内側から外側への空気の流れを許容し、外側から内側への空気の流れを阻止するように前記通孔を開閉する逆止弁を設けたことを特徴とする。
そして、好ましくは前記逆止弁をダイアフラム弁で構成する。
【発明の効果】
【０００５】
本発明によれば、陥没・扁平乳頭を矯正すべく、乳頭用貫通穴が乳頭に合致させするようにパッドを乳房に被せて密着し、カップを手で押してパッドを乳房に押圧すると、パッドがカップ内側へ撓んでカップ内の空気が加圧されので、逆止弁が開いて、空気が通孔からカップ外部へ流出し、カップ内部が負圧になる。そのため、陥没・扁平乳頭はパッドによる押し出し効果と負圧による吸引効果の相乗効果によって乳頭貫通穴からカップ内に突出する。
このように、本発明によれば、カップに逆止弁を設けたので、パッドの押圧とそれに伴って生ずる負圧によって陥没・扁平乳頭を矯正できる。このため、深く陥没した乳頭を矯正する場合でもパッドの押圧操作回数が可及的に少なくて済み、陥没・扁平乳頭矯正具の使い勝手が向上する。
【０００６】
また、逆止弁をダイアフラム弁で構成することにより、構造を簡素化でき、低コストで製造が可能となる。
【発明を実施するための最良の形態】
【０００７】
陥没・扁平乳頭矯正具をカップと、カップの中心部外側に取り付けたダイアフラム式逆止弁及びカップ２０の口を覆蓋するパッドから構成する。カップには硬質プラスチックの成型品を用い、中心部の外側に環状溝を成形し、環状溝の内部に弁座を外向きに凸設する。弁座の中心にカップの内外を連通する通孔を形成する。ダイアフラム式逆止弁３０はシリコンゴム等の軟質プラスチック製弾性体の成型品を用いる。逆止弁３０は有底筒形を有し、開口端部を弁座周囲の環状溝に気密に嵌合することにより逆止弁底部で通孔を塞ぐように、弁座に取り付ける。逆止弁の底部に略半円形のスリットを形成して底部にダイアフラム弁の機能を付与する。パッドにはシリコンゴム等の軟質プラスチック成型品を用い、カップにパッドを取付けて、カップの口を覆蓋する。パッドの中心部には乳頭用貫通穴を形成する。
【実施例】
【０００８】
以下に本発明の実施例に係る陥没・扁平乳頭矯正具を説明する。図１は同矯正具を示す正面図、図２は同矯正具を示す背面図、図３は図１の３−３線から切断した断面図である。
【０００９】
陥没・扁平乳頭矯正具１０はカップ２０と、カップ２０の中心部外側に取り付けたダイアフラム式逆止弁３０及びカップ２０の口を覆蓋するパッド４０を備えている。
【００１０】
カップ２０は硬質プラスチックの成型品が用いられ、中心部の外側に環状溝２１が成形され、環状溝２１の内部に弁座２２が外向きに凸設され、かつ弁座２２の中心にカップの内外を連通する通孔２３が形成されている。また、カップ２０の口部周縁にフランジ部２４が形成されている。
【００１１】
ダイアフラム式逆止弁３０はシリコンゴム等の軟質プラスチック製弾性体の成型品が用いられている。この逆止弁３０は有底筒形を有し、開口端部を環状溝２１に気密に嵌合することにより底部３１で通孔２３を塞ぐように、弁座２２に取り付けられている。逆止弁３０の底部３１には略半円形のスリット３２を形成して、略半円形のダイアフラム弁が成形されている。このダイアフラム式逆止弁３０は通孔２３を通って空気がカップ２０の内側から外側へ流れるのを許容し、カップ外側から内側へ流れるのを阻止する。
【００１２】
パッド４０はシリコンゴム等の軟質プラスチック成型品が用いられている。パッド４０は円形の外形を有し、外周部に環状溝４１が成形されている。この環状溝４１にカップ２０のフランジ部２４を嵌合することによりカップ２０にパッド４０が取付られて、カップ２０の口を覆蓋している。パッド４０の中心部には乳頭用貫通穴４２が形成され、貫通穴４２の周囲には肉厚部４３が設けられている。この肉厚部４３の内側と外側にそれぞれ互いに対向する１本の環状溝４４，４５を形成して肉薄部４６が形成されている。
【００１３】
本実施例に係る陥没・扁平乳頭矯正具１０の構造は以上の通りであって、以下にその使用方法を説明する。乳頭用貫通穴４２が乳頭５０に合致させするようにパッド４０を乳房５１に被せて密着し、カップ２０を手で押してパッド４０を乳房５１に押圧する。パッド４０がカップ２０内側へ撓んでカップ２０内の空気が加圧されので、逆止弁３０の底部３１がカップ２０外側へ開いて、空気が通孔２３からカップ２０外部へ流出し、カップ２０内部が負圧になる。そのため陥没・扁平乳頭はパッド４０の押圧による押し出し効果とカップ２０内の負圧による吸引効果によって乳頭貫通穴４２からカップ２０内に突出する。
【００１４】
乳頭５０が大きくて貫通穴４２に入り難い場合、貫通穴４２の周囲に形成した肉薄部４６から先端側を切除して、貫通穴４２の内径を大きくする。
なお、本実施例では貫通穴４２の周縁の内外に１本の環状溝４４，４５を形成することにより一箇所に円形の肉薄部４４を形成したが、径の異なる環状溝を複数本形成することにより、径の異なる肉薄部を複数箇所に形成し、個々人に合わせて切除する肉薄部を選択することで乳頭貫通穴のサイズを調整できる。
【図面の簡単な説明】
【００１５】
【図１】本発明の実施例に係る矯正具を示す正面図である。
【図２】同矯正具を示す背面図である。
【図３】図１の３−３線から切断した断面図である。
【符号の説明】
【００１６】
１０…陥没・扁平乳頭矯正具
２０…カップ
２１…環状溝
２２…弁座
２３…通孔
３０…ダイアフラム式逆止弁
３１…底部
４０…パッド
４１…環状溝
４２…乳頭貫通穴
４３…肉厚部
４４…環状溝
４５…環状溝
４６…肉薄部
５０…乳頭
５１…乳房
【図１】
2006246934.tif 000003
【図２】
2006246934.tif 000004
【図３】
2006246934.tif 000005